(57)【要約】【課題】貯湯装置のタンク脚と筐体脚とを連結ボルトで連結するに当たり、締め付け不良が発生する心配のない構造を提供する。【解決手段】図（ｂ）に示すように、ナットに相当するプレート５０に、旋回防止用のダボ６３を備えている。図（ｃ）に示すように、スリット６２にダボ６３が嵌るようにして、中央片３１ａ、左片３１ｂ及び右辺３１ｃの下にプレート５０を挿入する。連結ボルト１６を締めると、プレート５０が右旋回を開始するが、プレート旋回防止用のダボ６３が、左片３１ｂと右辺３１ｃとの間のスリット６２に嵌っているため、プレート５０の旋回が抑制され、締め付け不良の発生を防止することができる。【選択図】図９
2018115840.tif 000002
【特許請求の範囲】
【請求項１】
タンク脚が備えられ湯を貯える貯湯タンクと、この貯湯タンクを収納する筐体と、この筐体の底板から下方へ延びて前記筐体及び前記貯湯タンクを支える筐体脚と、この筐体脚と前記タンク脚とを連結する連結ボルトと、を備えている貯湯装置において、
前記タンク脚は、前記筐体の底板に載る底部を有し、この底部は、前記連結ボルトを通すボルト穴を複数個備え、
前記筐体の底板は、前記連結ボルトを通す筐体側通孔を有し、
前記筐体脚は、前記筐体の底板の下面に当接すると共に前記連結ボルトを通す脚側通孔を有する受け部と、この受け部から下方へ延びる脚柱部と、この脚柱部の下部に設けられ設置面に当接する脚底部とを有すると共に別部材であって前記受け部の下方へ差し込まれるプレートとを有し、
前記脚柱部は、前記プレートが出し入れできるように、一対の側壁とこれらの奥端を繋ぐ奥壁とで構成され、
前記プレートは、前記連結ボルトを右回転によりねじ込むことができる複数個の雌ねじ部を有し、
前記受け部又は前記奥壁に、前記プレートの差し込み距離を規定するストッパを有し、
前記一対の側壁を、前記プレートから見て左の側壁及び右の側壁と呼ぶときに、
前記ストッパは、前記プレートの左右方向の中心線よりも前記左の側壁寄りの部位に設けられていることを特徴とする貯湯装置。
【請求項２】
前記ストッパは、複数個の前記雌ねじ部のうち前記左の側壁に最も近い前記雌ねじ部の中心よりも前記左の側壁寄りの部位に設けられていることを特徴とする請求項１記載の貯湯装置。
【請求項３】
タンク脚が備えられ湯を貯える貯湯タンクと、この貯湯タンクを収納する筐体と、この筐体の底板から下方へ延びて前記筐体及び前記貯湯タンクを支える筐体脚と、この筐体脚と前記タンク脚とを連結する連結ボルトと、を備えている貯湯装置において、
前記タンク脚は、前記筐体の底板に載る底部を有し、この底部は、前記連結ボルトを通すボルト穴を複数個備え、
前記筐体の底板は、前記連結ボルトを通す筐体側通孔を有し、
前記筐体脚は、前記筐体の底板の下面に当接すると共に前記連結ボルトを通す脚側通孔を有する受け部と、この受け部から下方へ延びる脚柱部と、この脚柱部の下部に設けられ設置面に当接する脚底部とを有すると共に別部材であって前記受け部の下方へ差し込まれるプレートとを有し、
前記脚柱部は、前記プレートが出し入れできるように、一対の側壁とこれらの奥端を繋ぐ奥壁とで構成され、
前記プレートは、前記連結ボルトを右回転によりねじ込むことができる複数個の雌ねじ部を有し、
前記受け部は、折り線を介して左の前記側壁に繋がっている左片と、折り線を介して右の前記側壁に繋がっている右片とを含み、前記折り線で折られた状態で、前記左片と前記右片との間に所定幅のスリットが確保されており、
前記プレートは、前記スリットに嵌る２個以上のプレート旋回防止用のダボを備えていることを特徴とする貯湯装置。
【発明の詳細な説明】
【技術分野】
【０００１】
本発明は、貯湯タンクを筐体に収納した形態の貯湯装置に関する。
【背景技術】
【０００２】
貯湯タンクを筐体に収納した形態の貯湯装置は、各種提案されてきた（例えば、特許文献１（図７）参照）。
【０００３】
特許文献１を次図に基づいて説明する。
図１０は従来の筐体脚の断面図であり、筐体脚１０１に底板１０２が載り、この底板１０２にタンク脚１０３が載った状態で、筐体脚１０１とタンク脚１０３がボルト１０４、１０６及びナット１０５、１０７により連結される。
【０００４】
複数本のボルト１０４、１０６を締める場合、ボルト１０４をある程度締め、ボルト１０６をある程度締めることを交互に行うことが望まれる。
【０００５】
しかし、作業者の癖やスキル不足、特に未熟練作業者にあっては、一方のボルト１０４をほぼ完全に締めてから、他方のボルト１０６を締めることがある。一方のボルト１０４を締め付けるときに、ほぼ完全に締める時点で摩擦力により筐体脚１０１がボルト１０４に連れて回る。
結果、筐体脚１０１が回転するように旋回する。旋回する筐体脚１０１が他方のボルト１０６のねじ部１０８を痛めることがある。ねじ部１０８が傷むと他方のボルト１０６における締め付け不良が発生する。
【０００６】
加えて、ねじ部１０８は見えにくいところにあるため、締め付け不良が発見され難く、貯湯装置の信頼性の低下を招く。
信頼性の維持が求められる中、未熟練作業者であっても、締め付け不良が発生しにくい構造が望まれる。
【先行技術文献】
【特許文献】
【０００７】
【特許文献１】特開２０１１−２１４４号公報
【発明の概要】
【発明が解決しようとする課題】
【０００８】
本発明は、貯湯装置のタンク脚と筐体脚とを連結ボルトで連結するに当たり、締め付け不良が発生する心配のない構造を提供することを課題とする。
【課題を解決するための手段】
【０００９】
請求項１に係る発明は、タンク脚が備えられ湯を貯える貯湯タンクと、この貯湯タンクを収納する筐体と、この筐体の底板から下方へ延びて前記筐体及び前記貯湯タンクを支える筐体脚と、この筐体脚と前記タンク脚とを連結する連結ボルトと、を備えている貯湯装置において、
前記タンク脚は、前記筐体の底板に載る底部を有し、この底部は、前記連結ボルトを通すボルト穴を複数個備え、
前記筐体の底板は、前記連結ボルトを通す筐体側通孔を有し、
前記筐体脚は、前記筐体の底板の下面に当接すると共に前記連結ボルトを通す脚側通孔を有する受け部と、この受け部から下方へ延びる脚柱部と、この脚柱部の下部に設けられ設置面に当接する脚底部とを有すると共に別部材であって前記受け部の下方へ差し込まれるプレートとを有し、
前記脚柱部は、前記プレートが出し入れできるように、一対の側壁とこれらの奥端を繋ぐ奥壁とで構成され、
前記プレートは、前記連結ボルトを右回転によりねじ込むことができる複数個の雌ねじ部を有し、
前記受け部又は前記奥壁に、前記プレートの差し込み距離を規定するストッパを有し、
前記一対の側壁を、前記プレートから見て左の側壁及び右の側壁と呼ぶときに、
前記ストッパは、前記プレートの左右方向の中心線よりも前記左の側壁寄りの部位に設けられていることを特徴とする。
【００１０】
請求項２に係る発明では、ストッパは、複数個の雌ねじ部のうち左の側壁に最も近い雌ねじ部の中心よりも左の側壁寄りの部位に設けられていることを特徴とする。
【００１１】
請求項３に係る発明は、タンク脚が備えられ湯を貯える貯湯タンクと、この貯湯タンクを収納する筐体と、この筐体の底板から下方へ延びて前記筐体及び前記貯湯タンクを支える筐体脚と、この筐体脚と前記タンク脚とを連結する連結ボルトと、を備えている貯湯装置において、
前記タンク脚は、前記筐体の底板に載る底部を有し、この底部は、前記連結ボルトを通すボルト穴を複数個備え、
前記筐体の底板は、前記連結ボルトを通す筐体側通孔を有し、
前記筐体脚は、前記筐体の底板の下面に当接すると共に前記連結ボルトを通す脚側通孔を有する受け部と、この受け部から下方へ延びる脚柱部と、この脚柱部の下部に設けられ設置面に当接する脚底部とを有すると共に別部材であって前記受け部の下方へ差し込まれるプレートとを有し、
前記脚柱部は、前記プレートが出し入れできるように、一対の側壁とこれらの奥端を繋ぐ奥壁とで構成され、
前記プレートは、前記連結ボルトを右回転によりねじ込むことができる複数個の雌ねじ部を有し、
前記受け部は、折り線を介して左の前記側壁に繋がっている左片と、折り線を介して右の前記側壁に繋がっている右片とを含み、前記折り線で折られた状態で、前記左片と前記右片との間に所定幅のスリットが確保されており、
前記プレートは、前記スリットに嵌る２個以上のプレート旋回防止用のダボを備えていることを特徴とする。
【発明の効果】
【００１２】
請求項１に係る発明では、受け部又は奥壁に、プレートの差し込み距離を規定するストッパを有し、一対の側壁を、プレートから見て左の側壁及び右の側壁と呼ぶときに、ストッパは、プレートの左右方向の中心線よりも左の側壁寄りの部位に設けられている。
ボルトを締め付けるとプレートは右回りに旋回し始める。この旋回によって、プレートは左の側壁とストッパとに当たる。当たるとそれ以上の旋回が抑制される。ストッパがプレートの左右方向の中心線よりも左の側壁寄りの部位に設けられているため、旋回角度は小さくなり、締め付け不良の発生を防止することができる。
【００１３】
請求項２に係る発明では、ストッパは、複数個の雌ねじ部のうち左の側壁に最も近い雌ねじ部の中心よりも左の側壁寄りの部位に設けられている。ストッパが左の側壁に最も近い雌ねじ部の中心よりも左の側壁寄りの部位に設けられているため、旋回角度がより小さくなり、締め付け不良の発生をより効果的に防止することができる。
【００１４】
請求項３に係る発明では、受け部は、折り線を介して左の側壁に繋がっている左片と、折り線を介して右の側壁に繋がっている右片とを含み、折り線で折られた状態で、左片と右片との間に所定幅のスリットが確保されており、プレートは、スリットに嵌る２個以上のプレート旋回防止用のダボを備えている。
プレート旋回防止用のダボが、左片と右辺との間のスリットに嵌るため、プレートの旋回が抑制され、締め付け不良の発生を防止することができる。
【図面の簡単な説明】
【００１５】
【図１】本発明に係る貯湯装置の断面図である。
【図２】図１の２部拡大図である。
【図３】筐体脚の展開図である。
【図４】筐体脚の平面図である。
【図５】筐体脚の正面図である。
【図６】プレートの平面図及び断面図である。
【図７】誤差し込み防止用のダボの作用図である。
【図８】ストッパの作用説明図である。
【図９】変更例を説明する図である。
【図１０】従来の筐体脚の断面図である。
【発明を実施するための形態】
【００１６】
本発明の実施の形態を添付図に基づいて以下に説明する。なお、図面は符号の向きに見るものとする。
【実施例】
【００１７】
図１に示すように、貯湯装置１０は、タンク脚１１を有する縦長の貯湯タンク１２と、この貯湯タンク１２を収納する筐体１３と、この筐体１３の底板１４から下方へ延びて筐体１３及び貯湯タンク１２を支える筐体脚３０と、この筐体脚３０とタンク脚１１とを連結する連結ボルト１６とを備えている。給水管１７で水を貯湯タンク１２に供給し、出湯管１８で湯を貯湯タンク１２から取り出すことができる。
【００１８】
図２に示すように、タンク脚１１の底部１９は、筐体１３の底板１４に載っている。また、筐体１３の底板１４は、筐体脚３０の上部を構成する受け部３１に載っている。受け部３１の下に矩形のプレート５０が差し込まれている。プレート５０は雌ねじ部５５を有する。例えば、受け部３１の板厚は２〜３ｍｍであり、プレート５０の板厚は４〜５ｍｍであって、プレート５０は、受け部３１に比較して格段に厚い。すなわち、受け部３１は、プレート５０に比較して格段に薄い。
【００１９】
筐体１３の底板１４には、筐体側通孔１５が設けられている。
連結ボルト１６は、上から下向きにタンク脚１１の底部１９に設けられた第１〜第３ボルト穴２２〜２４の一つを通過し、その下の筐体側通孔１５及び脚側通孔３４を通過し、雌ねじ部５５にねじ込まれている。
結果、底板１４を挟んで、筐体脚３０とタンク脚１１が連結される。
【００２０】
以下、筐体脚３０とタンク脚１１につき詳しく説明する。
図３（ａ）に示すように、筐体脚３０の要部は、ブランク材３２から打ち抜き形成される。
横に延びる谷折り線（線が谷底になるよう折る線。）３３より上で、受け部３１が形成される。受け部３１は、中央片３１ａと、左片３１ｂと、右片３１ｃとからなる。中央片３１ａと、左片３１ｂと、右片３１ｃには、各々脚側通孔３４が打ち抜き形成されている。脚側通孔３４は長孔である。そして、受け部３１は谷折り線３３により、図面おもて側に折り曲げられる。
【００２１】
横に延びる谷折り線３３より下で、脚柱部３５が形成される。脚柱部３５は、縦に延びる谷折り線３６、３７、３８、３９で谷折りされる。谷折り線３７と谷折り線３８とで奥壁４１が形成され、谷折り線３６と谷折り線３７とで左の側壁４２Ｌ（Ｌは左を示す添え字。以下同）が形成され、谷折り線３６で左の折曲部４３Ｌが形成され、谷折り線３８と谷折り線３９とで右の側壁４２Ｒ（Ｒは右を示す添え字。以下同じ）が形成され、谷折り線３９で右の折曲部４３Ｒが形成される。
【００２２】
そして、中央片３１ａの谷折り線３７に寄った部位に、ストッパ４５を設ける。
好ましくは、左右の側壁４２Ｌ、４２Ｒに受け突起４４、４４を形成する。
図３（ｂ）に示すように、受け突起４４は、パンチとダイで形成されるダボである。ただし、受け突起４４は短いピンを側壁４２Ｌ、４２Ｒに溶接又はねじ込んでもよい。
【００２３】
図３（ｃ）に示すように、ストッパ４５は、パンチとダイで形成されるダボである。ただし、ストッパ４５は短いピンを中央片３１ａに溶接又はねじ込んでもよい。
ダボであれば短いピンを準備して接合する作業が省ける。部品点数の削減が図れ、部品（ピン）を紛失する心配は無くなる。なお、ストッパ４５は、奥壁４１に設けてもよい。
【００２４】
図４に示すように、折り曲げ形成された角筒状の脚柱部３５は、中央片３１ａと、左片３１ｂと、右片３１ｃとからなる受け部３１を一体的に備えている。受け部３１は、３個の脚側通孔３４を有している。
このような脚柱部３５に、側壁４２Ｌ、４２Ｒに沿って延びる脚底部４６を取付ける。
【００２５】
図５に示すように、脚底部４６は設置面４７に載る部材である。そして、コ字状に曲げ形成された脚底部４６は角筒状の脚柱部３５の下部に嵌められ、その後に、脚底部４６と脚柱部３５とは、スポット溶接やかしめ法で連結され一体化される。この連結法は、リベットやボルトナットでもよく、任意である。
中央片（図４、符号３１ａ）に、下へ延びるストッパ４５を有し、側壁４２Ｌ、４２Ｒに水平に張り出す受け突起４４、４４を有する。受け突起４４の上端レベルは、折曲部４３Ｌ、４３Ｒの上端レベルと同じに設定されている。
【００２６】
図６（ａ）に示すように、プレート５０は、互いに直交する４つの辺５１、５２、５３、５４で構成される正方形又は長方形の平板である。プレート５０は、連結ボルト１６をねじ込むことができる３個の雌ねじ部５５を有している。３個の雌ねじ部５５、５５、５５は正三角形の頂点に配置される。
便宜上、辺５１、５３の中点を通り且つ１つの雌ねじ部５５を通る線を、板中心線５６と呼ぶ。
【００２７】
好ましくは、空いている部位に、誤差し込み防止用のダボ５７、５７、５７を設ける。
なお、プレート５０のセンター位置と３個の雌ねじ部５５、５５、５５からなる正三角形のセンター位置とが、略重なっている。正方形で且つセンター位置が重なっていれば、プレート５０を正面向きに差し込んでも、横向きに差し込んでも同一のセンター位置になるため、タンク脚（図１、符号１１）の第１〜第３ボルト穴（図２、符号２２〜２４）で形成する正三角形のセンター位置と重なり、タンク脚１１の共通化が可能となる。
【００２８】
図６（ｂ）は、図６（ａ）のｂ−ｂ線断面図である。
図６（ｂ）において、雌ねじ部５５は、上から下へねじ切りされたものであり、不可避的に下面から下方へ張り出すバリ５５ｂが残る。バリ５５ｂを除去するバリ取り加工が望まれるが、バリ５５ｂが軽微であれば、バリ取り加工を省くことがあり、この場合には、バリ５５ｂは残ったままとなる。
【００２９】
ダボ５７、５７、５７は、バリ５５ｂ側に凸になるように設けられ、例えばパンチとダイで形成される。ダボ５７は、小ピースをプレート５０の下面に溶接してもよく、ダボ５７の形成方法は任意である。
【００３０】
図７に基づいて、プレート５０の差し込み手順を説明する。
図７（ａ）にて、受け部３１と受け突起４４との間隔Ｄ１は、プレート５０の板厚Ｔより僅かに大きい。受け部３１と折曲部４３Ｒとの間隔Ｄ２は、間隔Ｄ１とほぼ同じであって、プレート５０の板厚Ｔより僅かに大きい。
【００３１】
図７（ｂ）に示すプレート５０は誤差し込み防止用のダボ５７が下に向いており、プレート５０は、矢印（１）（正しくは、矢印は図面おもてから裏へ延びる。）のように、間隔Ｄ１、Ｄ２へ差し込むことができる。矢印に○を付した。バリ５５ｂは下面に存在するため、実害はない。
【００３２】
一方、図７（ｃ）に示すプレート５０は誤差し込み防止用のダボ５７が上に向いており、バリ５５ｂは上面に存在する。仮に、この向きでプレート５０を受け部３１に当てると、バリ５５ｂが噛み込み、受け部３１にプレート５０が密着しないという不具合が起こる。
しかし、本実施例では、誤差し込み防止用のダボ５７を備えており、プレート５０は、矢印（２）のように、差し込もうとすると、ダボ５７が受け部３１に当たるため、差し込むことができない。よって、プレート５０の誤差し込みが防止され、結果としてプレート５０を確実に受け部３１に密着させることができる。
【００３３】
ダボ５７は１個でも差し支えないが、本例では３個設けた。ダボ５７を上に向けた状態で、図６（ａ）において、辺５１を先頭にして差し込もうとすると、辺５１近傍のダボ５７、５７が受け部３１に当たる。辺５２を差し込もうとすると、辺５２近傍のダボ５７が受け部３１に当たる。辺５３を差し込もうとすると、辺５３近傍のダボ５７が受け部３１に当たる。辺５４を差し込もうとすると、辺５４近傍のダボ５７が受け部３１に当たる。すなわち、プレート５０は僅かしか差し込まれない。殆ど差し込まれないため、誤差し込みが確実に防止される。
【００３４】
次にストッパ４５の作用を、図８に基づいて説明する。
図８（ａ）に示すように、折曲部４３Ｌ、４３Ｒの外面からストッパ４５までの距離Ｄ３は、プレート５０の辺５２の長さとほぼ同じに設定しておく。
プレート５０の板中心線５６が側壁４２Ｌ、４２Ｒと平行になる向きで且つ辺５１を先頭にしてプレート５０を差し込む。この差し込みの際に、左右の折曲部４３Ｌ、４３Ｒ上を滑らせるようにし、且つ途中から左右の受け突起４４、４４上を滑らせるようにしてもよい。辺５１がストッパ４５に当たると差し込み作業は終了する。プレート５０は、４箇所（左右の折曲部４３Ｌ、４３Ｒ及び左右の受け突起４４、４４）で支持されるため、落下する心配はない。
【００３５】
図８（ｂ）に示すように、脚側通孔３４、３４、３４を通して雌ねじ部５５、５５、５５が見える。
図８（ｃ）に示すように、一対の側壁４２Ｌ、４２Ｒを、プレート５０から見て左の側壁４２Ｌ及び右の側壁４２Ｒと呼ぶときに、ストッパ４５は、複数個（この例では３個）の雌ねじ部５５のうち左の側壁４２Ｌに最も近い雌ねじ部５５の中心５５ｃよりも左の側壁４２Ｌ寄りの部位に設けられている。厳密には、ストッパ４５の中心４５ｃは、左の側壁４２Ｌに最も近い雌ねじ部５５の中心５５ｃよりもγだけ左の側壁４２Ｌ寄りの部位に設けられている。
【００３６】
連結ボルト１６を締め付けるとプレート５０は右回りに旋回が開始される。この旋回によって、プレート５０は左の側壁４２Ｌに当たると共にストッパ４５とに当たる。当たるとそれ以上の旋回が抑制される。ストッパ４５が左の側壁４２Ｌ寄りの部位に設けられているため、旋回角度βは小さくなり、締め付け不良の発生を防止することができる。
【００３７】
また、旋回角度βを小さく規制することができるので、プレート５０の旋回範囲を考慮して、脚側通孔３４、３４、３４に対してプレート５０の雌ねじ部５５、５５、５５が適正な位置となるようにすることが容易となる。
【００３８】
なお、ストッパ４５は、プレート５０の左右方向の中心線５６よりも左の側壁４２Ｌ寄りの部位に設けることで、ストッパ４５がプレート５０の中心線５６よりも右の側壁４２Ｒ寄りの部位に設けられるよりも、旋回角度βを小さくすることができる。
【００３９】
次に、本発明の変更例を、図９に基づいて説明する。
図９（ａ）に示すように、脚柱部３５において、折り線で折られた状態で、左片３１ｂと右片３１ｃとの間に所定幅αのスリット６２が確保されている。併せて、プレート５０は、スリット６２に嵌る２個以上のプレート旋回防止用のダボ６３を備えている。プレート旋回防止用のダボ６３の外径は、スリット６２の幅αより若干小さく設定される。
【００４０】
図９（ｂ）に示すように、プレート旋回防止用のダボ６３は、プレート５０の上面から上方に膨出するように、パンチとダイで形成されるダボである。ただし、ダボ６３は、短いピンをプレート５０に溶接又はねじ込んでもよい。好ましくは、プレート５０の下面に誤差し込み防止用のダボ５７を残し、このダボ５７でプレート５０の誤挿入を防止するようにする。
【００４１】
図９（ｃ）に示すように、スリット６２に２個以上のダボ６３が嵌るようにして、中央片３１ａ、左片３１ｂ及び右辺３１ｃの下にプレート５０を挿入する。
連結ボルト１６を締めると、プレート５０が右旋回を開始するが、プレート旋回防止用のダボ６３が、左片３１ｂと右辺３１ｃとの間のスリット６２に嵌っているため、プレート５０の旋回が抑制され、締め付け不良の発生を防止することができる。
【００４２】
なお、この変更例においても、好ましくは、プレート５０の差し込み距離を規定するストッパ４５を中央片３１ａに付設する。ただし、ストッパ４５の設置は、左の側壁４２Ｌに寄った位置、右の側壁４２Ｌに寄った位置、左右の側壁４２Ｌ、４２Ｒの中間位置の何れでもよい。
【００４３】
これらの配置位置のうち、ストッパ４５を左の側壁４２に寄った位置に設けると、図８（ｃ）で説明したように、ストッパ４５でもプレート５０の旋回防止作用が発揮される。ストッパ４５とダボ６３との相乗効果で、より好ましくプレート５０の旋回防止を図ることができる。
【００４４】
尚、プレート５０は、正方形板の他、長方形板、隅を斜辺とした八角形板であってもよく、雌ねじ部５５を有する板であれば、形状は適宜変更してもよい。
【産業上の利用可能性】
【００４５】
本発明は、筐体脚を有する筐体に、貯湯タンクを収納した形態の貯湯装置に好適である。
【符号の説明】
【００４６】
１０…貯湯装置、１１…タンク脚、１２…貯湯タンク、１３…筐体、１４…筐体の底板、１５…筐体側通孔、１６…連結ボルト、１９…タンク脚の底部、２２〜２４…ボルト穴、３０…筐体脚、３１…受け部、３１ｂ…左片、３１ｃ…右辺、３３…谷折り線、３４…筐体側通孔、３５…脚柱部、４１…奥壁、４２Ｌ…左の側壁、４２Ｒ…右の側壁、４５…ストッパ、４５ｃ…ストッパの中心、４６…脚底部、４７…設置面、５０…プレート、５５…雌ねじ部、５５ｃ…雌ねじ部の中心、５６…プレートの左右方向の中心線、６２…スリット、６３…プレート旋回防止用のダボ。
【図１】
2018115840.tif 000003
【図２】
2018115840.tif 000004
【図３】
2018115840.tif 000005
【図４】
2018115840.tif 000006
【図５】
2018115840.tif 000007
【図６】
2018115840.tif 000008
【図７】
2018115840.tif 000009
【図８】
2018115840.tif 000010
【図９】
2018115840.tif 000011
【図１０】
2018115840.tif 000012